(57)【要約】【課題】指挟みを防止し、端正な体裁を容易に実現する。【解決手段】片開きのドアＤの吊元側の側端部に装着するカバー材１０と、吊元側の壁パネルＷの側端部に装着するエッジ材２０とを組み合わせ、カバー材１０には、ドアＤの回転中心Ｄo を中心とする凸円弧状の外周面１１、１１を設け、エッジ材２０には、カバー材１０との間に一定の湾曲隙間Ｇを形成する凹円弧状の対向面２１を設ける。【選択図】図１
2010163833.tif 000002
【特許請求の範囲】
【請求項１】
中心吊りのピボットヒンジを介して支持する片開きのドアの吊元側の側端部に装着するカバー材と、該カバー材に対向するようにして吊元側の壁パネルの側端部に装着するエッジ材とを組み合わせてなり、前記カバー材は、ドアの側端面から各表面にかけて湾曲するとともにドアの回転中心を中心とする横断面凸円弧状の外周面を有し、前記エッジ材は、ドアの開き角度に拘らず、前記カバー材との間に一定の湾曲隙間を形成する横断面凹円弧状の対向面を有するとともに、該対向面は、ドアの開き方向側の一端を壁パネルの表面より内向きの斜面に連結し、ドアの開き方向と反対側の一端を壁パネルの表面と平行な平面に連結することを特徴とするドアのエッジ装置。
【請求項２】
前記カバー材は、ドアの側端部を挟み込む一対のガイドリブと、ドアの側端面に当接させてねじ止めする取付面とを前記外周面の内部に形成することを特徴とする請求項１記載のドアのエッジ装置。
【請求項３】
前記エッジ材は、壁パネルの側端部を挟み込む一対のリブと、壁パネルの側端面に当接させてねじ止めする取付面とを形成することを特徴とする請求項１または請求項２記載のドアのエッジ装置。
【発明の詳細な説明】
【技術分野】
【０００１】
この発明は、片開きのドアの吊元側において、手指を挟み込む不測の事故を有効に防止することができるドアのエッジ装置に関する。
【背景技術】
【０００２】
ドアの吊元側の隙間に手指を挟み込む事故を防止するために、ドアの指挟み防止装置が提案されている（特許文献１）。
【０００３】
従来の指挟み防止装置は、ドアの吊元側の側端面に横断面凸円弧状のエッジ材を装着するとともに、特殊形状の指挟み防止材をドアの側端部の開き方向側の表面に固定する。指挟み防止材の表面は、ドアの回転中心を中心とする横断面凸円弧状に形成され、エッジ材の表面と連続している。なお、指挟み防止材は、ドアの表面から最も高い位置において垂直の立上り部に裁断され、ドアの表面にビス止めされている。そこで、指挟み防止材は、ドアが回転すると、エッジ材とともに連続的な円を描くように運動し、吊元側の壁パネルの側端面のエッジ材との間に過大な隙間を生じるおそれがない。
【先行技術文献】
【特許文献】
【０００４】
【特許文献１】特許第３７７８８４８号公報
【発明の概要】
【発明が解決しようとする課題】
【０００５】
かかる従来技術によるときは、指挟み防止材は、ドアの側端面のエッジ材と別部材であるから、組立工数が余計にかかる上、ドアの側端部の開き方向側の表面にビス止めされるから、いかにも付加的な外観となり、必ずしも体裁がよくないという問題があった。
【０００６】
そこで、この発明の目的は、かかる従来技術の問題に鑑み、ドアの吊元側の側端部を一体に覆うカバー材と、吊元側の壁パネルに装着するエッジ材とを組み合わせることによって、格別な追加の組立工数を要することなく、端正な体裁を容易に実現することができるドアのエッジ装置を提供することにある。
【課題を解決するための手段】
【０００７】
かかる目的を達成するためのこの発明の構成は、中心吊りのピボットヒンジを介して支持する片開きのドアの吊元側の側端部に装着するカバー材と、カバー材に対向するようにして吊元側の壁パネルの側端部に装着するエッジ材とを組み合わせてなり、カバー材は、ドアの側端面から各表面にかけて湾曲するとともにドアの回転中心を中心とする横断面凸円弧状の外周面を有し、エッジ材は、ドアの開き角度に拘らず、カバー材との間に一定の湾曲隙間を形成する横断面凹円弧状の対向面を有するとともに、対向面は、ドアの開き方向側の一端を壁パネルの表面より内向きの斜面に連結し、ドアの開き方向と反対側の一端を壁パネルの表面と平行な平面に連結することをその要旨とする。
【０００８】
なお、カバー材は、ドアの側端部を挟み込む一対のガイドリブと、ドアの側端面に当接させてねじ止めする取付面とを外周面の内部に形成することができる。
【０００９】
また、エッジ材は、壁パネルの側端部を挟み込む一対のリブと、壁パネルの側端面に当接させてねじ止めする取付面とを形成してもよい。
【発明の効果】
【００１０】
かかる発明の構成によるときは、カバー材は、ドアの回転中心を中心とする凸円弧状の外周面を有し、各外周面は、ドアの吊元側の側端面からドアの各表面にかけて一様に滑らかに湾曲しながら連続する。すなわち、カバー材は、ドアの吊元側の側端部を円筒状に覆うことにより、ドアの開き方向側、開き方向側と反対側の両側を対称形の端正な一体の外観にまとめることができる上、たとえばドアの側端面にねじ止めするだけでドアに組み付けることができ、実質的に追加の組立工数を必要としない。
【００１１】
なお、ドアは、中心吊りのピボットヒンジを介して開閉自在に支持され、したがって、ドアの回転中心は、ピボットヒンジのヒンジピンの軸心に一致する。また、ドアは、内開きまたは外開きの片開きとし、ドアの吊元側の壁パネルの側端部には、ドア側のカバー材と対向するエッジ材を装着する。エッジ材は、ドアの開き角度に拘らず、カバー材の外周面との間に一定の湾曲隙間を形成する凹円弧状の対向面を形成することにより、ドアを開閉しても、手指を挟むような過大な隙間をカバー材との間に生じるおそれがない。なお、エッジ材の対向面は、ドアの開き方向側の一端を内向きの斜面に連結することにより、ドアを９０°以上の鈍角に開放することができる。
【００１２】
カバー材は、左右一対のガイドリブを介してドアの側端部を挟み込むとともに、取付面にドアの側端面を当接させることにより、ドアの側端部に正しく位置決めして装着することができる。なお、カバー材は、取付面を貫通するねじを介してドアの側端面にねじ止めする。
【００１３】
エッジ材は、左右一対のリブを介して壁パネルの側端部を挟み込み、取付面に壁パネルの側端面を当接させることにより、壁パネルの側端部に正しく位置決めして装着することができる。なお、エッジ材は、取付面を貫通するねじを介して壁パネルの側端面にねじ止めする。
【図面の簡単な説明】
【００１４】
【図１】使用状態を示す横断面図
【図２】図１の要部拡大分解図（１）
【図３】図１の要部拡大分解図（２）
【図４】動作説明図（１）
【図５】動作説明図（２）
【図６】他の実施の形態を示す図１相当図
【発明を実施するための形態】
【００１５】
以下、図面を以って発明の実施の形態を説明する。
【００１６】
ドアのエッジ装置は、ドアＤの吊元側の側端部のカバー材１０と、吊元側の壁パネルＷの側端部のエッジ材２０とを組み合わせてなる（図１）。
【００１７】
ドアＤは、パーティクルボードの芯材Ｄ1 の両面に表面材Ｄ2 、Ｄ2 を貼着して構成されている。ドアＤは、中心吊りのピボットヒンジＨを介して、吊元側、戸先側の壁パネルＷ、Ｗ間の開口部に開閉自在に支持されている。ピボットヒンジＨのヒンジピンＨ1 は、吊元側の壁パネルＷ側に固定するヒンジブラケットＨ2 を介してドアＤの中心線Ｄ3 上に位置しており、ドアＤは、ヒンジピンＨ1 の軸心を回転中心Ｄo として室内側に開く片開きとなっている（図１の矢印Ｋ1 方向）。なお、ピボットヒンジＨは、ドアＤの上下に対称形に配置されるが、図１には、下のピボットヒンジＨのみが図示されている。
【００１８】
ドアＤの戸先側には、スライドボルトＢが室内側に付設されており、スライドボルトＢは、戸先側の壁パネルＷ上の受けＢ1 に挿入して係合させることにより、全閉状態のドアＤを室内側からロックすることができる（図１の二点鎖線）。また、ドアＤの戸先側には、スライドボルトＢによるドアＤのロック状態を表示する表示付きの摘みＢ2 が室外側に付設されている。
【００１９】
吊元側、戸先側の壁パネルＷ、Ｗは、それぞれパーティクルボードの芯材Ｗ1 の両面に表面材Ｗ2 、Ｗ2 を貼着して構成されている。なお、壁パネルＷ、Ｗ、ドアＤは、同一厚さに形成されており、ドアＤは、全閉状態において、壁パネルＷ、Ｗと同一直線上に整列される。
【００２０】
ドアＤの戸先側の側端部には、エッジ材３１が装着されている。エッジ材３１は、ドアＤの戸先側の側端面上に半月形に膨出するアルミニウムの押出形材であり、ドアＤの側端部を挟み込む左右一対のリブ３１ａ、３１ａと、ドアＤの側端面に当接させる取付面３１ｂとを有する。エッジ材３１の頂部は、戸当り材３２を弾発的に装着するために、ドアＤの上下方向に長く連続的に開口されている。そこで、エッジ材３１は、戸当り材３２を装着するに先き立って、取付面３１ｂを貫通する複数のねじ３３、３３…を介してドアＤの側端面にねじ止めすることができる。なお、戸当り材３２は、弾力性の合成ゴム材により一体成形されており、ドアＤの室内側に寄せるようにして戸当りリブ３２ａがドアＤの戸先方向に突設されている。
【００２１】
ドアＤの戸先側の壁パネルＷの側端部には、ドアＤ側のエッジ材３１、戸当り材３２と同一のエッジ材３１、戸当り材３２が装着されている。ただし、壁パネルＷ側の戸当り材３２は、戸当りリブ３２ａをドアＤの室外側に寄せるようにして装着されており、かかる戸当り材３２は、ドアＤ側の戸当り材３２を上下反転させて使用することができる。なお、図１において、ドアＤ側、壁パネルＷ側の各エッジ材３１をねじ止めするねじ３３、３３…は、それぞれ１本のみが図示されている。
【００２２】
ドアＤの吊元側のカバー材１０は、外周面１１、１１を有するアルミニウムの押出形材である（図１、図２）。各外周面１１は、ヒンジピンＨ1 によるドアＤの回転中心Ｄo を中心とする横断面凸円弧状に形成されている。各外周面１１は、内部の取付面１２を介して連結されており、取付面１２には、左右一対のガイドリブ１２ａ、１２ａが立設されている。また、各外周面１１の先端には、内向きのエッジ１１ａ、１１ａが形成されている。
【００２３】
そこで、カバー材１０は、外周面１１、１１の間にドアＤの吊元側の側端部を挿入し、ドアＤの側端面を取付面１２に当接させ、ガイドリブ１２ａ、１２ａにより側端部を挟み込んで位置決めすることにより、ドアＤの吊元側の側端部を覆うようにして装着することができる。このとき、各外周面１１は、ドアＤの側端面から各表面にかけて一様に滑らかに湾曲しながら連続し、先端のエッジ１１ａを介してドアＤを挟み込むことができる。
【００２４】
カバー材１０の頂部は、目地材１８を弾発的に装着するために、ドアＤの上下方向に長く連続的に開口するスリット１３に形成されている。スリット１３の左右には、目地材１８の脚部１８ａ、１８ａを弾発的に係合させる係合リブ１３ａ、１３ａが突設されている。目地材１８の外表面は、カバー材１０の外周面１１、１１とほぼ連続する円弧面１８ｂに形成され、円弧面１８ｂには多数の装飾用の平行小溝が形成されている。目地材１８は、たとえば硬質のプラスチック材により一体成形されている。
【００２５】
カバー材１０は、頂部のスリット１３から、取付面１２を貫通するねじ１４、１４…を介してドアＤの吊元側の側端面にねじ止めされている。また、スリット１３は、カバー材１０をねじ止めした後、目地材１８により塞がれている。ただし、図１において、カバー材１０用のねじ１４、１４…は、１本のみが図示されている。
【００２６】
ドアＤの吊元側の壁パネルＷ側のエッジ材２０は、ドアＤ側のカバー材１０に対向する横断面凹円弧状の対向面２１を有するアルミニウムの押出形材である（図１、図３）。
【００２７】
エッジ材２０は、壁パネルＷの側端部を挟み込む左右一対のリブ２２、２２を有する。ドアＤの開き方向側のリブ２２は、壁パネルＷの表面より内向きの斜面２３を介して対向面２１の一端に連結されており、ドアＤの開き方向と反対側のリブ２２は、壁パネルＷの表面と平行な平面２４を介して対向面２１の他端に連結されている。ただし、各リブ２２の先端には、内向きのエッジ２２ａが形成されている。対向面２１の中間部には、ドアＤ側の目地材１８と同一の目地材１８を弾発的に装着するスリット２５が形成され、スリット２５の左右には、目地材１８の脚部１８ａ、１８ａを係合させる係合リブ２５ａ、２５ａが突設されている。スリット２５の底部は、取付面２６となっており、一方のリブ２２と斜面２３、他方のリブ２２と平面２４の各接合部には、それぞれ取付面２６と同一平面を形成する係合リブ２２ｂが内向きに突設されている。
【００２８】
エッジ材２０は、スリット２５から、取付面２６を貫通するねじ２７、２７…を介して壁パネルＷの側端面にねじ止めされている。ただし、壁パネルＷの側端面には、スペーサＷ3 がねじ止めして付設されている。スリット２５は、エッジ材２０をねじ止めした後、目地材１８により塞がれている。なお、図１において、エッジ材２０用のねじ２７、２７…は、１本のみが図示されている。
【００２９】
ドアＤを全閉に閉じると、ドアＤ側のカバー材１０、吊元側の壁パネルＷ側のエッジ材２０の間には、円弧状の湾曲隙間Ｇが形成される（図１、図４（Ａ））。カバー材１０の外周面１１、１１は、凸円弧状であり、エッジ材２０の対向面２１は、凹円弧状であるからである。なお、湾曲隙間Ｇは、手指Ｆ、Ｆが入らないように十分小さく、ドアＤの室内側、室外側の一方から他方に見通し不能であり、しかも、全長に亘り実質的に均一である。すなわち、エッジ材２０の対向面２１は、カバー材１０の外周面１１、１１と同様に、実質的にドアＤの回転中心Ｄo を中心とする凹円弧面に設定されている。
【００３０】
ドアＤを室内側に開放すると、ドアＤの開き角度θが次第に大きくなるが（図４（Ａ）〜（Ｃ））、そのときの湾曲隙間Ｇは、一定に保たれる。ドアＤの開き角度θ≧９０°になっても同様である（図５（Ａ）、（Ｂ））。ただし、図５（Ａ）は、開き角度θ＝９０°の状態であり、同図（Ｂ）は、開き角度θ＞９０°の全開状態を図示している。なお、図５（Ｂ）において、カバー材１０のエッジ材２０側の外周面１１の先端は、エッジ材２０の斜面２３の先端よりも外側に位置しており、したがって、湾曲隙間Ｇは、ドアＤを全開状態に開いても、実質的な長さが短くなることはない。
【００３１】
ドアＤを全開状態（図５（Ｂ））から全閉状態（図４（Ａ））に閉じる場合も、湾曲隙間Ｇは、一定に保たれる。すなわち、カバー材１０、エッジ材２０は、ドアＤの開閉の際に、室内側、室外側のいずれの側からも、湾曲隙間Ｇに手指Ｆを挟み込むおそれがない。
【他の実施の形態】
【００３２】
ドアＤは、室外側に開く片開きとしてもよい（図６の矢印Ｋ1 方向）。このとき、ドアＤの戸先側の戸当り材３２、３２は、ドアＤ側の戸当りリブ３２ａを室外側に寄せ、壁パネルＷ側の戸当りリブ３２ａを室内側に寄せて装着されている。また、ドアＤの吊元側の壁パネルＷに装着するエッジ材２０は、対向面２１の一端に連結する斜面２３をドアＤの開き方向側、すなわち室外側にして装着されている。なお、ドアＤのスライドボルトＢは、戸先側の壁パネルＷ上の受け板Ｂ3 に係合させることにより、全閉状態のドアＤを室内側からロックすることができる（図６の二点鎖線）。
【００３３】
以上の説明において、カバー材１０のスリット１３、エッジ材２０のスリット２５は、それぞれドアＤの上下方向に連続させるに代えて、カバー材１０用のねじ１４、エッジ材２０用のねじ２７の頭部を個別に通過させるに足りる丸孔をねじ１４、２７ごとに開口するだけにしてもよい。なお、このときの目地材１８は、丸孔に適合する盲蓋材とすればよい。
【産業上の利用可能性】
【００３４】
この発明は、たとえば建屋内に設置するトイレブース用のドアなどに好適に使用することができる。
【符号の説明】
【００３５】
Ｄ…ドア
Ｗ…壁パネル
Ｈ…ピボットヒンジ
Ｇ…湾曲隙間
Ｄo …回転中心
θ…開き角度
１０…カバー材
１１…外周面
１２…取付面
１２ａ…ガイドリブ
２０…エッジ材
２１…対向面
２２…リブ
２３…斜面
２４…平面
特許出願人          小松ウオール工業株式会社
代理人  弁理士                松  田  忠  秋
【図１】
2010163833.tif 000003
【図２】
2010163833.tif 000004
【図３】
2010163833.tif 000005
【図４】
2010163833.tif 000006
【図５】
2010163833.tif 000007
【図６】
2010163833.tif 000008